(57)【要約】無線通信システムにおけるハイブリッド呼び出しセットアップのためのシステムおよび方法が開示される。第２のネットワーク上での保留通信についてターゲットデバイスに通知するページが、第１のネットワーク上で送信される。このページは、第１のネットワーク上でショートデータバースト（ＳＤＢ）が送信されることになることも、ターゲットデバイスに通知する。ショートデータバースト（ＳＤＢ）は、第２のネットワーク上での保留通信に関するセットアップ情報を含み、第１のネットワーク上で送信される。
2009528005.tif 000002
【特許請求の範囲】
【請求項１】
無線通信方法であって、
第２のネットワーク上での保留通信についてターゲットに通知するページを第１のネットワーク上で送信し、なお、前記ページは追加情報が前記第１のネットワーク上で送信されることになることを前記ターゲットに通知し、および
前記第１のネットワーク上で前記追加情報を送信することを含み、なお、前記追加情報は前記第２のネットワーク上での前記保留通信に関するセットアップ情報を含む、
方法。
【請求項２】
前記追加情報はショートデータバースト（ＳＤＢ）として送信される、請求項１に記載の方法。
【請求項３】
前記ページは前記ターゲットと通信する無線インフラストラクチャによって送信される、請求項１に記載の方法。
【請求項４】
前記ページはオリジネータからの接続要求に応答して生成される、請求項１に記載の方法。
【請求項５】
前記オリジネータは、アクセス端末、リモートサーバ、グループ通信サーバ、アプリケーションサーバ、およびメディアサーバのうちの少なくとも１つである、請求項４に記載の方法。
【請求項６】
前記ターゲットにおいて前記ページを受信し、そして
前記ページの肯定応答を前記ターゲットから前記第１のネットワークへと送信すること、
をさらに含む、請求項１に記載の方法。
【請求項７】
前記追加情報を受信するために、前記ターゲットにおいて前記第１のネットワークへの接続を維持することをさらに含む、請求項６に記載の方法。
【請求項８】
前記ターゲットにおいて前記追加情報を受信し、
前記追加情報に肯定応答をし、そして
前記保留通信を受信するために、前記追加情報を使用して前記第２のネットワークにアクセスすること、
をさらに含む、請求項７に記載の方法。
【請求項９】
前記第１のネットワーク上で前記追加情報の肯定応答を受信し、そして
前記第２のネットワーク上で前記ターゲットと通信すること、
をさらに含む、請求項８に記載の方法。
【請求項１０】
オリジネータと前記ターゲットとの間での通信のために、前記第２のネットワーク上にトラフィックチャネルを開くことをさらに含む、請求項９に記載の方法。
【請求項１１】
オリジネータでプッシュ−ツー−トーク（ＰＴＴ）信号を生成し、そして
接続要求をグループ通信サーバに送信することをさらに含み、なお、前記グループ通信サーバは前記ページを送信するために前記第１のネットワークと通信する、
請求項１に記載の方法。
【請求項１２】
前記接続要求は前記第２のネットワーク上で送信される、請求項１１に記載の方法。
【請求項１３】
前記第２のネットワークを用いて前記オリジネータとのトラフィックチャネルを確立することをさらに含む、請求項１１に記載の方法。
【請求項１４】
前記オリジネータは、アクセス端末、無線クライアントデバイス、有線デバイス、携帯情報端末（ＰＤＡ）、および移動体端末のうちの少なくとも１つである、請求項１１に記載の方法。
【請求項１５】
前記第１のネットワークは前記第２のネットワークよりも高速のページング間隔を有し、前記第２のネットワークは前記第１のネットワークよりも高い帯域幅を有する、請求項１に記載の方法。
【請求項１６】
前記第１のネットワークは１ｘ−ＲＴＴネットワークであり、前記第２のネットワークは１ｘＥＶ−ＤＯネットワークである、請求項１５に記載の方法。
【請求項１７】
ターゲットに向けて送られた接続要求データおよび通信データをアプリケーションサーバから受信するように構成されたノードを備える装置であって、前記ノードは、前記接続要求データを第１のネットワークに向けて送り、前記通信データを第２のネットワークに向けて送るようにさらに構成され、
前記第１のネットワークは、前記ターゲットをページングするように、および前記第２のネットワークに関する呼び出しセットアップ情報を含む第２の通信を送信するように、構成される、装置。
【請求項１８】
前記ターゲットは、
前記ページを受信するように構成された論理と、
前記ページの肯定応答を、前記ターゲットから前記第１のネットワークへ送信するように構成された論理と、
前記追加情報の受信のために、前記第１のネットワークへの接続を維持するように構成された論理と、
をさらに備える、請求項１７に記載の装置。
【請求項１９】
前記ターゲットは、
前記第１のネットワークから受信された前記追加情報を使用して、前記第２のネットワークに接続するように構成された論理をさらに備える、請求項１８に記載の装置。
【請求項２０】
プッシュ−ツー−トーク（ＰＴＴ）信号の受信時に前記アプリケーションサーバに呼び出し接続要求を送信するように構成されたオリジネータをさらに備え、前記アプリケーションサーバは、前記呼び出し接続要求の受信時に前記ページを送信するために前記第１のネットワークと通信する、請求項１７に記載の装置。
【請求項２１】
前記呼び出し接続要求は前記第２のネットワーク上で送信される、請求項２０に記載の装置。
【請求項２２】
前記オリジネータは、アクセス端末、無線クライアントデバイス、有線デバイス、携帯情報端末（ＰＤＡ）、および移動体端末のうちの少なくとも１つである、請求項２０に記載の装置。
【請求項２３】
前記ターゲットは、アクセス端末、無線クライアントデバイス、有線デバイス、携帯情報端末（ＰＤＡ）、および移動体端末のうちの少なくとも１つである、請求項１７に記載の装置。
【請求項２４】
前記ノードはパケットデータサービスノード（ＰＤＳＮ）である、請求項１７に記載の装置。
【請求項２５】
無線通信システムにおけるハイブリッド呼び出しセットアップのための方法を実施するコンピュータ読み取り可能媒体であって、前記方法は、
第２のネットワーク上での保留通信についてターゲットに通知するページを第１のネットワーク上で送信し、なお、前記ページは追加情報が前記第１のネットワーク上で送信されることになることを前記ターゲットに通知し、そして
前記第１のネットワーク上で前記追加情報を送信することを含み、なお、前記追加情報は前記第２のネットワーク上での前記保留通信に関するセットアップ情報を含む、
コンピュータ読み取り可能媒体。
【請求項２６】
前記方法は、
前記第１のネットワーク上で前記追加情報の肯定応答を受信し、そして
前記第２のネットワーク上で前記ターゲットと通信することをさらに含む、
無線通信システムにおけるハイブリッド呼び出しセットアップのための方法を実施する、請求項２５に記載のコンピュータ読み取り可能媒体。
【請求項２７】
前記方法は、
オリジネータと前記ターゲットとの間での通信のために、前記第２のネットワーク上にトラフィックチャネルを開くことをさらに含み、
無線通信システムにおけるハイブリッド呼び出しセットアップのための方法を実施する、請求項２６に記載のコンピュータ読み取り可能媒体。
【請求項２８】
第１のネットワークおよび第２のネットワークの両方に関するページング情報を受信するために、前記第１のネットワーク上でキャンプするように構成された論理と、
前記第２のネットワーク上での保留通信に関する前記第１のネットワーク上のページを受信するように構成された論理と、そして
前記第２のネットワークへの接続に関する追加情報の受信のために、前記第１のネットワークへの接続を維持するように構成された論理と、
を備える、アクセス端末。
【請求項２９】
前記第１のネットワークから受信された前記追加情報を使用して、前記第２のネットワークに接続するように構成された論理をさらに備える、請求項２８に記載のアクセス端末。
【請求項３０】
前記第１のネットワークは１ｘ−ＲＴＴネットワークであり、前記第２のネットワークは１ｘＥＶ−ＤＯネットワークである、請求項２８に記載のアクセス端末。
【請求項３１】
前記第１のネットワークは前記第２のネットワークよりも高速のページング間隔を有し、前記第２のネットワークは前記第１のネットワークよりも高い帯域幅を有する、請求項２８に記載のアクセス端末。
【請求項３２】
前記アクセス端末は、無線クライアントデバイス、有線デバイス、携帯情報端末（ＰＤＡ）、セルラ式電話、および移動体端末のうちの少なくとも１つである、請求項２８に記載のアクセス端末。
【請求項３３】
前記追加情報はショートデータバースト（ＳＤＢ）として送信される、請求項２８に記載のアクセス端末。
【請求項３４】
第２のネットワーク上での保留通信についてターゲットに通知するページを第１のネットワーク上で送信するための手段と、なお、前記ページは追加情報が前記第１のネットワーク上で送信されることになることを前記ターゲットに通知し、そして
前記第１のネットワーク上で前記追加情報を送信するための手段を備え、なお前記追加情報は前記第２のネットワーク上での前記保留通信に関するセットアップ情報を含む、
通信システム。
【請求項３５】
オリジネータでプッシュ−ツー−トーク（ＰＴＴ）信号を生成するための手段と、そして
前記オリジネータから接続要求をグループ通信サーバに送信するための手段とを備え、なお、前記グループ通信サーバは前記ページを送信するために前記第１のネットワークと通信する、
請求項３４に記載の通信システム。
【請求項３６】
前記ターゲットにおいて前記ページを受信するための手段と、そして
前記ページの肯定応答を前記ターゲットから前記第１のネットワークへと送信するための手段と、をさらに備える、
請求項３４に記載の通信システム。
【請求項３７】
前記追加情報を受信するために、前記ターゲットで前記第１のネットワークへの接続を維持するための手段をさらに備える、請求項３６に記載の通信システム。
【請求項３８】
前記ターゲットで前記追加情報を受信するための手段と、
前記追加情報に肯定応答するための手段と、そして
前記保留通信を受信するために、前記追加情報を使用して前記第２のネットワークにアクセスするための手段と、
をさらに備える、請求項３７に記載の通信システム。
【請求項３９】
前記第１のネットワーク上で前記追加情報の肯定応答を受信するための手段と、そして
前記第２のネットワーク上で前記ターゲットと通信するための手段と、
をさらに備える、請求項３８に記載の通信システム。
【発明の詳細な説明】
【技術分野】
【０００１】
［１．分野］
本発明は、一般に無線環境における通信に関する。より具体的に言えば、本発明は無線通信システムにおける呼び出しセットアップに関する。
【０００２】
［２．背景］
無線通信システムは、第１世代アナログ無線電話サービス（１Ｇ）、第２世代（２Ｇ）デジタル無線電話サービス（暫定的２．５Ｇおよび２．７５Ｇネットワークを含む）、および第３世代（３Ｇ）高速データ／インターネット対応無線サービスを含む、様々な世代を通じて発達してきた。現在は、Ｃｅｌｌｕｌａｒ  ａｎｄ  Ｐｅｒｓｏｎａｌ  Ｃｏｍｍｕｎｉｃａｔｉｏｎｓ  Ｓｅｒｖｉｃｅ（ＰＣＳ）システムを含む、多くの異なるタイプの無線通信システムが使用されている。既知のセルラ式システムの例には、セルラ式Ａｎａｌｏｇ  Ａｄｖａｎｃｅｄ  Ｍｏｂｉｌｅ  Ｐｈｏｎｅ  Ｓｙｓｔｅｍ（ＡＭＰＳ）、ならびに、符号分割多重アクセス（ＣＤＭＡ）、時分割多重アクセス（ＴＤＭＡ）、ＴＤＭＡのＧｌｏｂａｌ  Ｓｙｓｔｅｍ  ｆｏｒ  Ｍｏｂｉｌｅアクセス（ＧＳＭ）の変形、およびＴＤＭＡとＣＤＭＡの両方の技術を使用したより新しいハイブリッドデジタル通信システムに基づいた、デジタルセルラ式システムが含まれる。
【０００３】
ＣＤＭＡ移動体通信を提供するための方法は、本明細書ではＩＳ−９５と呼ばれる「Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ」という名称のＴＩＡ／ＥＩＡ／ＩＳ−９５−Ａにおいて、米国電気通信工業会／電子工業会によって米国で標準化された。ＡＭＰＳおよびＣＤＭＡを組み合わせたシステムは、ＴＩＡ／ＥＩＡ標準ＩＳ−９８に記載されている。他の通信システムは、広帯域ＣＤＭＡ（ＷＣＤＭＡ）、ＣＤＭＡ２０００（たとえばＣＤＭＡ２０００  １ｘＥＶ−ＤＯ標準など）、またはＴＤ−ＳＣＤＭＡと呼ばれるものをカバーしている標準である、ＩＭＴ−２０００／ＵＭ、すなわちＩｎｔｅｒｎａｔｉｏｎａｌ  Ｍｏｂｉｌｅ  Ｔｅｌｅｃｏｍｍｕｎｉｃａｔｉｏｎｓ  Ｓｙｓｔｅｍ  ２０００／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍに記載されている。
【０００４】
無線通信システムでは、移動局またはアクセス端末が、基地局に隣接するかまたはこれを取り囲む特定の地理的領域内での通信リンクまたはサービスをサポートする、固定位置の基地局（セルサイトまたはセルとも呼ばれる）からの信号を受信する。有効範囲の提供を支援するために、しばしば各セルは、それぞれがより小さなサービス領域または地理的領域に対応する、複数のセクタに細分される。互いに隣接して配置された基地局のアレイまたは一連の基地局は、より大きな領域全体にわたって何人かのシステムユーザにサービスを提供することができる通信システムを形成する。
【０００５】
通常、各移動局は、移動局と基地局との間でのメッセージの交換に使用可能な制御チャネルを監視する。制御チャネルは、システム／オーバヘッドメッセージの伝送に使用され、トラフィックチャネル(traffic channel)は、通常、移動局への、および移動局からの、実質的な通信（たとえば音声およびデータ）に使用される。たとえば制御チャネルは、当技術分野で知られているように、トラフィックチャネルの確立、パワーレベルの制御などに使用することができる。
【０００６】
加えて、移動局は、移動局に向けて送られるメッセージ／ページングについて制御チャネルを定期的に監視するため、ページング間隔（paging interval）はシステム性能に大きな影響を及ぼす可能性がある。通常、ページング間隔が長くなるほど、システムの応答性は低下する。ページング間隔の長いシステムでは、システムの応答性はすべての適用範囲にとって許容できないものである可能性がある。
【０００７】
１ｘおよび１ｘＥＶ−ＤＯシステムでは、アクセス端末に他のネットワーク上で待機中のページおよびデータを通知するために、１つのネットワーク上でページングすることが可能である。たとえば、１ｘＥＶ−ＤＯページが待機中であることをアクセス端末に通知する、１ｘページを受信することができる。しかしながら、他のネットワーク上のページをアクセス端末に通知するための１つのネットワーク上でのこのページングプロセスは、システムの応答性を向上させないものであり、さらに他のネットワーク上で待機中のページおよびデータの受信を遅らせる可能性もある。
【発明の開示】
【０００８】
［典型的な実施例の概要］
本発明の例示的実施形態は、無線通信システムにおいて１ｘおよび１ｘＥＶ−ＤＯ通信のハイブリッドソリューションを使用する、呼び出しセットアップ時間を改善するためのシステムおよび方法を対象とする。
【０００９】
したがって、本発明の一実施形態は、第２のネットワーク上での保留通信（pending communication）についてターゲットに通知するページを第１のネットワーク上で送信することであって、このページは追加情報（additional）が第１のネットワーク上で送信されることになることをターゲットに通知する、送信することと、第１のネットワーク上で追加情報を送信することであって、この追加情報は第２のネットワーク上での保留通信に関するセットアップ情報（setup information）を含む、送信することと、を備える、無線通信のための方法を含むことができる。
【００１０】
本発明の他の実施形態は、ターゲットに向けて送られた接続要求データおよび通信データをアプリケーションサーバから受信するように構成されたノードを備える、装置を含むことが可能であり、このノードは、接続要求データを第１のネットワークに向けて送り、通信データを第２のネットワークに向けて送るようにさらに構成され、この第１のネットワークは、ターゲットをページングするように、および第２のネットワークに関する呼び出しセットアップ情報を含む第２の通信を送信するように、構成される。
【００１１】
本発明の他の実施形態は、無線通信システム内のハイブリッド呼び出しセットアップ(hybrid call setup)のための方法を実施するコンピュータ読み取り可能媒体を含むことが可能であり、この方法は、第２のネットワーク上での保留通信についてターゲットに通知するページを第１のネットワーク上で送信することであって、このページは追加情報が第１のネットワーク上で送信されることになることをターゲットに通知する、送信することと、第１のネットワーク上で追加情報を送信することであって、この追加情報は第２のネットワーク上での保留通信に関するセットアップ情報を含む、送信することと、を備える。
【００１２】
本発明の他の実施形態は、第１のネットワークおよび第２のネットワークの両方に関するページング情報を受信するために第１のネットワーク上でキャンプ（camp）するように構成された論理と、第２のネットワーク上での保留通信に関する第１のネットワーク上のページを受信するように構成された論理と、第２のネットワークへの接続に関する追加情報の受信のために第１のネットワークへの接続を維持するように構成された論理とを備える、アクセス端末を含むことができる。
【００１３】
本発明の他の実施形態は、第２のネットワーク上での保留通信についてターゲットに通知するページを第１のネットワーク上で送信するための手段であって、このページは追加情報が第１のネットワーク上で送信されることになることをターゲットに通知する、送信するための手段と、第１のネットワーク上で追加情報を送信するための手段であって、この追加情報は第２のネットワーク上での保留通信に関するセットアップ情報を含む、送信するための手段と、を備える、通信システムを含むことができる。
【００１４】
本発明の諸実施形態およびそれらに付随する利点の多くは、本発明を限定するためではなく単に例示するために提示された添付の図面に関連して考察した場合に、以下の詳細な説明を参照することでよりよく理解されるため、これらに関してより完全に理解することは容易であろう。
【００１５】
［好ましい実施例の詳細な説明］
本発明の特定の実施形態を対象とする以下の説明および関係図において、本発明の諸態様が開示される。代替実施形態は、本発明の範囲を逸脱することなく考案可能である。加えて、本発明の周知の要素は、本発明の関連する細部を不明瞭にすることのないように、詳細に説明されないかまたは省略される。
【００１６】
本明細書において「例示的」という用語は、「例、インスタンス、または例証としての働きをする」ことを意味するために使用される。本明細書で「例示的」として説明されるいかなる実施形態も、必ずしも他の諸実施形態よりも好ましいかまたは有利であるものと解釈されるものではない。同様に「本発明の実施形態」という用語は、本発明のすべての実施形態が、考察される特徴、利点、または動作モードを含むことを必要としない。
【００１７】
さらに、多くの実施形態は、たとえばコンピューティングデバイスの要素によって実行されることになる一連のアクションに関して説明される。本明細書で説明される様々なアクションは、特定の回路（たとえば特定用途向け集積回路（ＡＳＩＣ））によって、１つまたは複数のプロセッサによって実行中のプログラム命令によって、あるいは、それら両方の組み合わせによって、実行可能であることを理解されよう。加えて、本明細書で説明されるこれら一連のアクションは、実行時に、本明細書で説明される機能を関連するプロセッサに実行させることになる、コンピュータ命令の対応するセットを内部に格納した、任意の形のコンピュータ読み取り可能記憶媒体内で全体として実施されるものとみなすことができる。したがって本発明の様々な態様は、それらすべてが請求された主題の範囲内であるものと企図されている、いくつかの異なる形で実施することが可能である。加えて、本明細書で説明されるそれぞれの実施形態について、任意のこうした実施形態の対応する形を、たとえば説明されたアクションを実行する「ように構成された論理」として本明細書で説明することができる。
【００１８】
本明細書ではアクセス端末（ＡＴ）と呼ばれる高データレート（ＨＤＲ）加入者局は、移動型または定置型とすることが可能であり、本明細書ではモデムプールトランシーバ（ＭＰＴ）または基地局（ＢＳ）と呼ばれる１つまたは複数のＨＤＲ基地局と通信することが可能である。アクセス端末は、１つまたは複数のモデムプールトランシーバを介して、モデムプールコントローラ（ＭＰＣ）、基地局コントローラ、および／または移動体交換センタ（ＭＳＣ）と呼ばれる、ＨＤＲ基地局コントローラとの間で、データパケットを送受信する。モデムプールトランシーバおよびモデムプールコントローラは、アクセスネットワークと呼ばれるネットワークの一部である。アクセスネットワークは、複数のアクセス端末間でデータパケットを移送する。さらにアクセスネットワークは、企業イントラネットまたはインターネットなどのアクセスネットワーク外部の追加のネットワークに接続することも可能であり、各アクセス端末とこうした外部ネットワークとの間でデータパケットを移送することができる。１つまたは複数のモデムプールトランシーバとのアクティブなトラフィックチャネル接続を確立したアクセス端末は、アクティブアクセス端末と呼ばれ、トラフィック状態にあるものと言われる。１つまたは複数のモデムプールトランシーバとのアクティブなトラフィックチャネル接続を確立中であるアクセス端末は、接続セットアップ状態にあるものと言われる。アクセス端末は、無線チャネルを介するか、あるいはたとえば光ファイバまたは同軸ケーブルを使用する有線チャネルを介して通信する、任意のデータデバイスとすることができる。さらにアクセス端末は、ＰＣカード、コンパクトフラッシュ（登録商標）、外付けまたは内蔵モデム、あるいは無線または有線電話を含むがこれらに限定されることのない、いくつかのタイプのデバイスのうちのいずれかとすることができる。アクセス端末がモデムプールトランシーバに信号を送る際に介する通信リンクは、逆方向リンクまたはトラフィックチャネルと呼ばれる。モデムプールトランシーバがアクセス端末に信号を送る際に介する通信リンクは、順方向リンクまたはトラフィックチャネルと呼ばれる。本明細書で使用される場合、トラフィックチャネルという用語は、順方向または逆方向のいずれのトラフィックチャネルとすることもできる。
【００１９】
図１は、本発明の少なくとも１つの実施形態に従った無線システム１００の例示的一実施形態を示すブロック図である。システム１００は、パケット交換データネットワーク（たとえばイントラネット、インターネット、および／またはキャリアネットワーク１２６）とアクセス端末１０２、１０８、１１０、１１２との間にデータ接続を提供するネットワーク機器にアクセス端末１０２を接続することができる、アクセスネットワークまたは無線アクセスネットワーク（ＲＡＮ）１２０とエアインターフェース１０４を横切って通信する、セルラ式電話１０２などのアクセス端末を含むことができる。ここに示されるように、アクセス端末は、セルラ式電話１０２、携帯情報端末１０８、２ウェイテキストページャとして示されているページャ１１０、または、無線通信ポータルを有する別のコンピュータプラットフォーム１１２とすることさえもできる。したがって本発明の諸実施形態は、無線モデム、ＰＣＭＣＩＡカード、パーソナルコンピュータ、電話、あるいはそれらの任意の組み合わせまたは下位組み合わせを制限なく含む、無線通信ポータルを含むかまたは無線通信機能を有する、任意の形のアクセス端末上で実現することができる。さらに、本明細書で使用される場合、「アクセス端末」、「無線デバイス」、「クライアントデバイス」、「移動体端末」、およびそれらの変形の用語は、同じ意味で使用することができる。
【００２０】
再度図１を参照すると、無線ネットワーク１００の構成要素および本発明の例示的実施形態の要素の相互関係は、例示された構成に限定されない。システム１００は単なる例であり、無線クライアントコンピューティングデバイス（wireless client computing device）１０２、１０８、ｌ１０、１１２などのリモートアクセス端末が、互いの間および中で、ならびに／あるいは、無線ネットワークキャリア１２６、インターネット、および／または他のリモートサーバを制限なく含む、エアインターフェース１０４およびＲＡＮ  １２０を介して接続された構成要素の間およびそれらの中で、無線で通信できるようにする、任意のシステムを含むことができる。
【００２１】
ＲＡＮ  １２０は、ＭＰＣ／ＭＳＣ  １２２に送信されるメッセージ（通常はデータパケットとして送信される）を制御する。キャリアネットワーク１２６は、ネットワーク、インターネット、および／または公衆交換電話網（ＰＳＴＮ）によって、ＭＰＣ／ＭＳＣ  １２２と通信することができる。別の方法として、ＭＰＣ／ＭＳＣ  １２２は、インターネットまたは外部ネットワークに直接接続することができる。通常、キャリアネットワーク１２６とＭＰＣ／ＭＳＣ  １２２との間のネットワークまたはインターネット接続はデータを転送し、ＰＳＴＮは音声情報を転送する。ＭＰＣ／ＭＳＣ  １２２は、複数の基地局（ＢＳ）またはモデムプールトランシーバ（ＭＰＴ）１２４に接続することができる。キャリアネットワークと同様の方法で、ＭＰＣ／ＭＳＣ  １２２は通常、データ転送および／または音声情報のために、ネットワーク、インターネット、および／またはＰＳＴＮによって、ＭＰＴ／ＢＳ  １２４に接続される。ＭＰＴ／ＢＳ  １２４は、データメッセージをセルラ式電話１０２などのアクセス端末に無線で同報通信することができる。ＭＰＴ／ＢＳ  １２４、ＭＰＣ／ＭＳＣ  １２２、および他の構成要素は、当技術分野で知られるように、ＲＡＮ  １２０を形成することができる。しかしながら代替の構成も使用可能であり、本発明は例示された構成に限定されることはない。
【００２２】
図２を参照すると、セルラ式電話などのアクセス端末２００（ここでは無線デバイス）は、最終的にキャリアネットワーク１２６、インターネット、ならびに／あるいは他のリモートサーバおよびネットワークから発せられる可能性のある、ＲＡＮ  １２０から伝送されたソフトウェアアプリケーション、データ、および／またはコマンドの受信および実行が可能な、プラットフォーム２０２を有する。プラットフォーム２０２は、特定用途向け集積回路（「ＡＳＩＣ」２０８）または他のプロセッサ、マイクロプロセッサ、論理回路、あるいは他のデータ処理デバイスに動作可能に結合された、トランシーバを含むことができる。ＡＳＩＣ  ２０８または他のプロセッサは、無線デバイスのメモリ２１２内にある任意の常駐プログラムとインターフェースする、アプリケーションプログラミングインターフェース（「ＡＰＩ」）２１０レイヤを実行する。メモリ２１２は、読み取り専用メモリまたはランダムアクセスメモリ（ＲＡＭおよびＲＯＭ）、ＥＥＰＲＯＭ、フラッシュカード、またはコンピュータプラットフォームに共通の任意のメモリで構成することができる。プラットフォーム２０２は、メモリ２１２内でアクティブに使用されないアプリケーションを保持することが可能な、ローカルデータベース２１４を含むこともできる。ローカルデータベース２１４は、通常、フラッシュメモリセルであるが、磁気媒体、ＥＥＰＲＯＭ、光媒体、テープ、ソフトまたはハードディスクなどの、当技術分野で知られた任意の２次ストレージデバイスとすることが可能である。内部プラットフォーム２０２構成要素は、当技術分野で知られた他の構成要素の中で、アンテナ２２２、ディスプレイ２２４、プッシュ−ツー−トーク（push-to-talk）ボタン２２８、およびキーパッド２２６などの外部デバイスに、動作可能に結合することもできる。
【００２３】
したがって、本発明の一実施形態は、本明細書で説明される機能を実行するための能力を含むアクセス端末を含むことができる。当業者であれば理解されるように、本明細書で開示された機能を達成するために、様々な論理要素を、個別の要素、プロセッサ上で実行されるソフトウェアモジュール、またはソフトウェアおよびハードウェアの任意の組み合わせで、実施することができる。たとえば、ＡＳＩＣ  ２０８、メモリ２１２、ＡＰＩ  ２１０、およびローカルデータベース２１４はすべて、本明細書で開示された様々な機能をロード、格納、および実行するために、協働的に使用することが可能であるため、これらの機能を実行するための論理は、様々な要素全体にわたって分散させることができる。別の方法として、機能を１つの個別の構成要素内に組み込むことができる。したがって、図２のアクセス端末の機構は単なる例示的なものとみなされ、本発明は、例示された機構または配置構成に限定されることはない。
【００２４】
したがって本発明の一実施形態は、第１のネットワークおよび第２のネットワークの両方に関するページング情報を受信するために第１のネットワーク上でキャンプするように構成された論理を備える、アクセス端末を含むことができる。指定されたページ（たとえば特別サービスオプション）を受信すると、第２のネットワーク上で保留中の通信に関する第１のネットワーク上のページを受信するように構成された追加の論理を活動化することができる。次に、第２のネットワークへの接続に関する追加情報の受信のために第１のネットワークへの接続を維持するように構成された論理を使用することができる。さらに、第２のネットワーク上での接続を容易にするために、第１のネットワークから受信された追加情報を使用して第２のネットワークに接続するように構成された論理を使用することができる。これらの態様について、以下で詳細に論じる。
【００２５】
前述のように、論理は、説明された機能を実行するように構成されたソフトウェアおよび／またはハードウェアの任意の組み合わせで実施することができる。たとえば、アクセス端末２００上で動作しているアプリケーションは、前述のすべての論理要素を含むことができる。別の方法として、アプリケーションは、本明細書で説明された機能を実行するための残りの論理を含む、１つまたは複数の他の常駐アプリケーションおよび／またはハードウェア要素（たとえば、ＡＰＩレイヤ２１０、プロセッサ／ＡＳＩＣ  ２０８、メモリ２１２など）と対話する、選択された論理要素のみを含むことができる。
【００２６】
加えて、セルラ式電話１０２などのアクセス端末は、ゲーム、ニュース、株式モニタなどの１つまたは複数のソフトウェアアプリケーションを、その上にインストールしておくことができ、あるいはそれらをダウンロードする。たとえばセルラ式電話１０２は、アプリケーションダウンロードサーバからダウンロードされた、１つまたは複数のソフトウェアアプリケーションを受信することができる。ソフトウェアアプリケーションは、使用されていない場合、ローカルデータベース２１４に格納しておくことができる。セルラ式電話１０２または他の無線コンピューティングデバイスは、ユーザが希望するかまたは他のプログラムによって呼び出された場合に、オペレーティングシステムまたはＡＰＩ  ２１０上で実行するために、ローカルデータベース２１４上に格納された常駐アプリケーションを、メモリ２１２にアップロードすることができる。
【００２７】
本明細書で使用される「アクセス端末」は、たとえば常駐構成済み論理を実行する１つまたは複数の処理回路を含み、こうしたコンピューティングデバイスは、たとえば、本明細書で説明された動作を少なくとも実行するように構成されたプロセッサおよび論理を含む、マイクロプロセッサ、デジタル信号プロセッサ（ＤＳＰ）、マイクロコントローラ、あるいは、ハードウェア、ソフトウェア、および／またはファームウェアの任意の好適な組み合わせを含む。本発明の実施形態に従って使用可能なアクセス端末または無線デバイスのいくつかの例には、セルラ式電話または他の無線通信ユニット、携帯情報端末（ＰＤＡ）、ページングデバイス、ハンドヘルドナビゲーションデバイス、ハンドヘルドゲームデバイス、音楽またはビデオコンテンツのダウンロードユニット、および他の同様の無線通信デバイスが含まれる。
【００２８】
アクセス端末１０２とＲＡＮ  １２０との間での無線通信は、符号分割多重アクセス（ＣＤＭＡ）、時分割多重アクセス（ＴＤＭＡ）、周波数分割多重アクセス（ＦＤＭＡ）、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）、あるいは、無線通信ネットワークまたはデータ通信ネットワークで使用可能な他のプロトコルなどの、異なる技術に基づくことができる。データ通信は、通常、クライアントデバイス１０２、ＭＰＴ／ＢＳ  １２４、およびＭＰＣ／ＭＳＣ  １２２の間で行われる。ＭＰＣ／ＭＳＣ  １２２は、キャリアネットワーク１２６、ＰＳＴＮ、インターネット、仮想専用ネットワークなどの、複数のデータネットワークに接続することができるため、アクセス端末１０２がより広範囲の通信ネットワークにアクセスできるようになる。前述のように、および当技術分野で知られるように、音声伝送および／またはデータは、ＲＡＮからアクセス端末に伝送することができる。
【００２９】
背景技術で論じたように、アクセス端末（たとえば無線デバイス）に、その端末に向けて送られる通信が使用可能であることを通知するために、ページングを使用することができる。通常、アクセス端末は、アクセス端末に向けて送られるページングをチェックするために、非トラフィックチャネル（たとえば制御チャネル）を監視する。アクセス端末がページング情報を受信すると、アクセス端末と無線アクセスネットワーク（ＲＡＮ）との間にトラフィックチャネルを確立することができる。
【００３０】
無線デバイスは、通常、電力に関してリソースが制限されているため、当技術分野で知られるように、無線デバイスを低電力、アイドル状態、またはスリープモードに設定することが有利である。しかしながら、スリープモードに入ると、通常、ＲＡＮからページング情報を受信するための遅延が増加し、これにより無線デバイスおよび無線通信全体の応答性が低下する可能性がある。たとえば、標準１ｘＥＶ−ＤＯリリース０（「ＥＶ−ＤＯ」）のアクセス端末は、スリープモード中は５．１２秒ページング間隔で動作する。５．１２秒ページング間隔は、１２の４２６．６６ミリ秒制御チャネルサイクル（ＣＣサイクル）で構成される。セッション構成中、ＲＡＮは、無線デバイスをこれら１２の制御チャネルサイクルのうちの１つにマッピングすることができるため、５．１２秒境界上で移動体をページングすることができる。標準５．１２秒ページング間隔は、多くのアプリケーションにとって適切であるが、遅延に敏感なアプリケーションにとってはあまりに長すぎる。
【００３１】
加えて、アクセス端末は、ＥＶ−ＤＯネットワークよりも速いページング間隔を有することが可能な、１ｘ−ＲＴＴ（「１ｘ」）ネットワークなどの他のネットワークもページについて監視することができる。たとえば、１ｘネットワーク上のページング間隔は、およそ８０ミリ秒から１６０ミリ秒とすることができる。したがって単一のアクセス端末が、データおよび音声のページング情報を受信するために、複数のチャネルを監視することができる。従来のシステムでは、単一のアクセス端末が複数のネットワークを監視することが必要な場合があるが（たとえば１ｘおよびＥＶ−ＤＯ）、これは遅延時間の増加、消費電力の増加、および、ページサイクルの重複などによるページの欠落の可能性につながる場合がある。したがってハイブリッドソリューションでは、応答時間を短縮し、ページ欠落の可能性を低下させるために、アクセス端末に、１つのネットワーク上でページを監視するように指示することができる。
【００３２】
たとえば図３に示されるように、無線インフラストラクチャ３０２は、ターゲットデバイス（たとえばＡＴ）３０４に、第２のネットワーク（たとえばＥＶ−ＤＯ）上でそれに関する通信が保留中であることを通知するが、第１のネットワーク上で追加情報を待機するために、第１のネットワーク（たとえば１ｘ）上でページ３１０を送信することができる。ターゲットデバイス３０４は、ページ３２０で肯定応答することができる。その後、無線インフラストラクチャ３０２は、追加情報を含むショートデータバースト（ＳＤＢ;short data burst）３３０をターゲットデバイス３０４に送信することができる。その後ターゲットデバイス３０４は、ＳＤＢ  ３４０で肯定応答する。ターゲットデバイス３０４は、続いて第２のネットワーク３５０上でトラフィックチャネル（ＴＣＨ）をセットアップし、第２のネットワーク上で通信する。たとえば前述のように、第２のネットワークは、ターゲットデバイス３０４との間に高速通信を提供することが可能な、ＥＶ−ＤＯネットワークとすることができる。ページ、ＳＢＤ、および肯定応答は、より高速のページサイクルが提供可能な、１ｘなどの第１のネットワーク上で送信することができる。ＳＢＤは、第２のネットワーク上での通信リンクの確立を容易にすることが可能な、呼び出しセットアップおよび／または他の情報を含むことができる。したがって、両方のネットワークから有利な機構を利用する、ハイブリッド呼び出しセットアップソリューションが実現可能である。
【００３３】
たとえば、「ＣＤＭＡ２０００スペクトル拡散システム用のＴＩＡ／ＥＩＡ／ＩＳ−２０００標準」で提供されるようなショートデータバースト（ＳＤＢ）メッセージを、順方向基本チャネル（ＦＣＨ）または順方向専用共通制御チャネル（Ｆ−ＤＣＣＨ）などの、専用物理チャネル、あるいは、逆方向アクセスチャネル（Ｒ−ＡＣＨ）、逆方向拡張アクセスチャネル（Ｒ−ＥＡＣＨ）、順方向共通制御チャネル（Ｆ−ＣＣＣＨ）、またはページングチャネル（ＰＣＨ）などの、共通物理チャネルの、両方を介して送信することができる。ＳＤＢメッセージは、適切かつ使用可能な物理層チャネル上にメッセージをマッピングする、無線バーストプロトコル（ＲＢＰ）によって移送可能である。ＳＤＢメッセージは、任意のＩＰトラフィックを搬送すること、および共通物理チャネルを介して送信されることが可能であるため、ＳＤＢメッセージは、呼び出し側クライアントのアクセス端末が専用トラフィックチャネルを持たない場合に、グループ呼び出しシグナリングを交換するためのメカニズムを提供する。
【００３４】
加えて、図３に示されるように、ターゲットデバイス３０４へのページ３１０は、オリジネータ(originator)３０６からの接続要求３０５に応答して送信することができる。たとえば、オリジネータ３０６は、無線インフラストラクチャ３０２に接続要求３０５を送信し、その後、第２のネットワーク上でトラフィックチャネルを確立する３１５。その後オリジネータ３０６は、接続要求がターゲット３０４によって受信された旨の肯定応答３４５を待つことができる。その後、第２のネットワーク上でオリジネータ３０６とターゲット３０４との間の通信３６０を開始することができる。
【００３５】
オリジネータは、例示されたようなアクセス端末（ＡＴ）３０６とするか、または無線インフラストラクチャ３０２への接続要求３０５を開始することが可能な任意の他のデバイスとすることができる。たとえばオリジネータは、無線インフラストラクチャ３０２に動作可能に結合されるか、または無線インフラストラクチャ３０２自体に含まれる、リモートサーバ(remote server)、グループ通信サーバ(group communication server)、アプリケーションサーバ(application server)、メディアサーバ(media server)とすることができる。さらに、より短い接続セットアップ時間を利用可能な任意のシステムが、本発明の諸実施形態を利用することもできる。
【００３６】
グループ通信システムとは、本明細書で開示されたハイブリッド通信セットアップによって提供される短縮された接続時間を利用することが可能な、遅延に敏感なシステムの例である。グループ通信システムは、プッシュ−ツー−トーク（ＰＴＴ）システム、ネットブロードキャストサービス（ＮＢＳ）、ディスパッチシステム、または１対多地点（point-to-multi-point）通信システムとしても知られ得る。通常、アクセス端末ユーザのグループは、各グループメンバに割り当てられたアクセス端末を使用して互いに通信することができる。「グループメンバ」という用語は、互いに通信することが許可されたアクセス端末ユーザのグループを示す。グループ通信システム／ＰＴＴシステムは何人かのメンバ間で行うものとみなすことができるが、このシステムはこの構成に限定されず、１対１ベースの個々のデバイス間での通信に適用することも可能である。
【００３７】
グループは、既存のインフラストラクチャへの実質的な変更を必要とせずに、既存の通信システムを介して動作可能である。したがって、コントローラおよびユーザは、符号分割多重アクセス（ＣＤＭＡ）システム、時分割多重アクセス（ＴＤＭＡ）システム、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）システム、衛星通信システム、地上回線および無線システムの組み合わせなどの、インターネットプロトコル（ＩＰ）を使用してパケット情報を送受信できる任意のシステムで動作可能である。
【００３８】
グループメンバは、ＡＴ  １０２、１０４、１０６、１０８、および１１２などの割り当てられたアクセス端末を使用して、互いに通信することができる。ＡＴは、地上無線電話、プッシュ−ツー−トーク機能を有する有線電話、プッシュ−ツー−トーク機能を備えた衛星電話、無線ビデオカメラ、スチルカメラ、音楽レコーダまたはプレーヤなどのオーディオデバイス、ラップトップまたはデスクトップコンピュータ、ページングデバイス、あるいはそれらの任意の組み合わせなどの、有線または無線のデバイスとすることができる。さらに、各ＡＴは、セキュアモードまたは非セキュア（クリア）モードのいずれかで、情報の送信および受信を実行することができる。アクセス端末（ＡＴ）への言及は、例示または列挙された例に限定されることを意図しておらず、インターネットプロトコル（ＩＰ）に従ってパケット情報を送受信するための機能を有する他のデバイスが包含可能であることを理解されたい。
【００３９】
あるグループメンバが、グループの他のメンバへ情報を伝送したい場合、このメンバは、分散ネットワークを介して伝送するようにフォーマット化された要求を生成する、ＡＴのプッシュ−ツー−トークボタンまたはキー（たとえば図２の２２８）を押すことによって、伝送特権を要求することができる。たとえばＡＴ  １０２では、要求は、１つまたは複数のＭＰＴ（または基地局）１２４に無線で伝送することができる。データパケットを処理するための、良く知られた網間接続機能（inter-working function）（ＩＷＦ）、パケットデータサービスノード（ＰＤＳＮ;packet data serving node）、またはパケット制御機能（ＰＣＦ）を含むことができる、ＭＰＣ／ＭＳＣ  １２２は、ＭＰＴ／ＢＳ  １２４と分散ネットワークＲＡＮ  １２０との間に存在することができる。しかしながら、要求は、公衆交換電話網（ＰＳＴＮ）を介してキャリアネットワーク１２６に伝送することもできる。キャリアネットワーク１２６は、要求を受信し、これを分散ネットワーク１２０に提供することができる。
【００４０】
図４を参照すると、１つまたは複数のグループ通信サーバ４３２は、分散ネットワーク１２０へのその接続を介してグループ通信システムのトラフィックを監視することができる。グループ通信サーバ４３２は、様々な有線および無線インターフェースを介して分散ネットワーク１２０に接続可能であるため、グループの参加者に地理的に近接している必要はない。通常、グループ通信サーバ４３２は、ＰＴＴシステム内のグループメンバセット（ＡＴ  ４７０、４７２、４７４、４７６）の無線デバイス間での通信を制御する。例示された無線ネットワークは単なる例であり、リモートモジュールが、互いの間および中で、ならびに／あるいは、無線ネットワークキャリアおよび／またはサーバを制限なく含む、無線ネットワークの構成要素の間および中で、無線で通信するのに使用する、任意のシステムを含むことができる。一連のグループ通信サーバ４３２は、グループ通信サーバＬＡＮ  ４５０に接続することができる。
【００４１】
グループ通信サーバ４３２は、本明細書ではキャリアネットワーク１２６上に常駐するように示された、ＰＳＤＮ  ４５２などの無線サービスプロバイダのパケットデータサービスノード（ＰＤＳＮ）に接続することができる。各ＰＳＤＮ  ４５２は、パケット制御機能（ＰＣＦ）４６２を介して、基地局４６０の基地局コントローラ４６４とインターフェースすることができる。ＰＣＦ  ４６２は基地局４６０内に配置することができる。キャリアネットワーク１２６は、ＭＳＣ  ４５８に（一般にデータパケットの形で）送信されるメッセージを制御する。ＭＳＣ  ４５８は、１つまたは複数の基地局４６０に接続することができる。キャリアネットワークと同様の方法で、ＭＳＣ  ４５８は通常、データ転送用のネットワークおよび／またはインターネット、ならびに音声情報用のＰＳＴＮの両方によって、ＢＴＳ  ４６６に接続される。ＢＴＳ  ４６６は最終的に、当技術分野で周知のように、セルラ式電話４７０、４７２、４７４、４７６などの無線ＡＴとの間で、メッセージを無線で同報通信および受信する。したがって、グループ通信システムの細部はこれ以上詳細に論じない。
【００４２】
図５を参照すると、本発明の一実施形態のシステムレベル図が示されている。たとえば、無線インフラストラクチャ３０２は、グループ通信サーバ５３２、ＰＤＳＮ  ５５２、ホームロケーションレジスタ（ＨＬＲ）５５４、ビジタロケーションレジスタ（ＶＬＲ）５５６、ＭＳＣ  ５５８、ＰＣＦ  ５６２および５７２、ＢＳＣ  ５６４および５７４、ならびにＢＴＳ  ５６６および５７６を含むことができる。これら要素のそれぞれが、音声および／またはデータをＡＴ  ３０４に提供するために使用可能である。たとえば図５に示されるように、ＡＴ  ３０４は、パケットデータセッションを介して通信するために、２つのネットワーク５６０および５７０（たとえば１ｘおよびＥＶ−ＤＯ）に接続することができる。前述のように、第１のネットワーク５６０は、第２のネットワーク５７０上での通信保留５７１についてターゲットデバイス３０４に通知する、ターゲットデバイス３０４のページング（たとえばアナウンス５６１）に使用することができる。加えて、ページ５６１は、第２のネットワーク５７０上での呼び出しセットアップを容易にするための追加情報が、第１のネットワーク５６０上で後に続くことになる旨を、ターゲットデバイス３０４に通知する。
【００４３】
ＰＤＳＮ  ５５２は、データ（たとえば、グループ通信サーバ５３２からの接続要求）を受信し、ターゲットデバイス３０４をページングするために、このデータを第１のネットワーク５６０に向けて送ることができる。データは、第２のネットワーク５７０に関する呼び出しセットアップ情報を含むことができる。たとえば、ＰＤＳＮ  ５５２は、１ｘネットワーク５６０（たとえば、ＰＣＦ  ５６２、ＢＳＣ  ５６４、ＢＴＳ  ４６６、ＭＳＣ  ５５８、ＨＬＲ  ５５４、およびＶＬＲ  ５５６）へとデータを送達することができる。１ｘネットワーク５６０は、ターゲットデバイス３０４の位置を突き止めるために、ターゲットデバイス３０４にページを送信することができる。その後、１ｘネットワークは、第２のネットワークに関する接続セットアップ情報を含むＳＢＤを、ターゲットデバイス３０４に送信することができる。したがって、ＳＤＢが複数のＢＳＣ／ＢＴＳに同報通信されないため、システム帯域幅が節約される。しかしながら、追加情報が第１の（１ｘ）ネットワーク上で送信されることになるため、ページは（たとえば、ターゲットデバイス上の特別サービスオプションおよび／またはソフトウェアを使用して）符号化または識別され、結果として、ターゲットデバイスは、第２の通信（たとえばＳＤＢ）を受信するために第１のネットワーク上に維持される。
【００４４】
ターゲット３０４は、第１のネットワーク５６０および第２のネットワーク５７０の両方に関するページを受信するために、第１のネットワーク５６０上で「キャンプさせて」おくことができる。本明細書で使用される「キャンプさせた」という用語は、情報について１つのネットワークを主に監視するデバイスを言い表す。しかしながらキャンプさせたデバイスは、オーバヘッド情報などについて第２のネットワークを依然として定期的に監視することができる。ターゲットデバイスは、第１のネットワーク上でページを受信すると、第１のネットワーク上のページに応答を送信することが可能であり、その後、第２のネットワークに接続するまで、第２の通信のために第１のネットワーク上に維持される。第２の通信（たとえばＳＢＤ）が完了すると、ターゲット３０４は、第２のネットワーク上での保留通信５７１への接続を容易にするために、その中に含まれる情報を使用することができる。たとえば、ＰＴＴ呼び出し、メディアストリーム、Ｑｕａｌｃｏｍｍのシグナリングプロトコル（ＱＳＰ）データなどをＥＶ−ＤＯネットワーク５７０上で保留しておくことが可能であり、ターゲット３０４はＥＶ−ＤＯネットワーク５７０に切り替えて、通信５７１を受信するためにトラフィックチャネルを確立することができる。したがって、ＥＶ−ＤＯネットワークの高速データ機能は、低待ち時間高帯域幅アプリケーションに関するハイブリッドソリューションを提供するために、１ｘネットワークの高速ページング間隔と組み合わせて使用することができる。
【００４５】
図５から理解されるように、単一のターゲットが、第１のネットワーク（１ｘ）５６０上のアナウンスメッセージ／ページおよびＳＤＢ  ５６１、ならびに第２のネットワーク（ＥＶ−ＤＯ）５７０上の追加データ５７１を受信することができる。さらに、ＡＴ  ３０４は両方のデータ通信に関する共通ターゲットであるため、各パケットデータセッションに同じＩＰアドレスを使用することが可能であり、これによりＥＶ−ＤＯ通信のセットアップにおける応答時間を改善し、無線ネットワーク外部のデバイスに透過性を提供することができる。たとえばＶＯＩＰ接続は、ページ／ＳＢＤ  ５６１および後続のトラフィック通信５７１の両方に対して、同じターゲットＩＰアドレスを維持することになる。したがって、ＰＤＳＮ  ５５２または他のサーバは、オリジネータ／アプリケーションサーバ（たとえば５３２）から送信されている通信に基づいて、パケットを正しいネットワークに向けて送るように構成することができる。たとえば、Ｄｉｆｆｅｒｅｎｔｉａｔｅｄ  Ｓｅｒｖｉｃｅｓ  Ｃｏｄｅ  Ｐｏｉｎｔ（ＤＳＣＰ）値を使用して、データストリーム５７１からのアナウンス／ＳＤＢ  ５６１を識別することができる。しかしながら本発明はこの構成に限定されるものではなく、たとえば、ＤＳＣＰの代わりに、またはＤＳＣＰと組み合わせて、各ネットワークに特定のＩＰポートを使用すること、特別なページ／サービスオプションを定義することなどが可能である。
【００４６】
図６は、本発明の少なくとも１つの実施形態に従った通信流れ図を示す。図６を参照すると、オリジネータ（たとえばＡＴ  ３０６）は、ターゲット（たとえばＡＴ  ３０４）に接続するために、たとえばＰＴＴボタンを押すことまたは他の同様の動作によって、ＰＴＴセッション６１０を開始することができる。図に示されるように、ＡＴ  ３０６は、アイドル状態からのウェイク（waking）およびＥＶ−ＤＯネットワーク５７０に接続するためのＤＯサーチャの開始などの、ＰＴＴ処理およびアクセス手順６１５を、直接開始することが可能である。その後、接続要求をＥＶ−ＤＯネットワーク５７０上で送信し、これにより要求６２２をグループ通信サーバ（ＧＣＳ）または他のこうしたアプリケーションサーバ（ＡＳ）５３２へと中継することができる。しかしながら当業者であれば、別の方法として、接続要求を１ｘネットワーク５６０上で送信し、その後ＡＴ  ３０６がＥＶ−ＤＯネットワーク５７０に切り替えることが可能であることを理解されよう。その後、ＧＣＳ  ５３２は、ターゲット３０４に向けて送られた「アナウンス」メッセージ６２４を１ｘネットワーク５６０に送信することができる。ページ６２６を、１ｘネットワーク５６０からＡＴ  ３０４に送信することができる。ＡＴ  ３０４はページ６２６を受信し、このページ６２８を処理した後、肯定応答６３６を返信する。
【００４７】
前述のように、ページ６２６は、ＥＶ−ＤＯネットワーク５７０上での保留通信に関する追加情報のために、１ｘネットワーク上に留まるよう、ＡＴ  ３０４に通知する。ページ肯定応答６３６を受信すると、１ｘネットワーク５６０は、ＥＶ−ＤＯネットワーク５７０上での保留通信に関する追加情報を含むアナウンス／ＳＤＢ  ６４６を、ＡＴ  ３０４に送信する。ＳＤＢ  ６４６を受信すると、ＡＴ  ３０４は、中に含まれている情報を処理し、ＥＶ−ＤＯネットワークに関するアクセス手順６４８を開始する。
【００４８】
加えて、ＡＴ  ３０４は、アナウンス／ＳＤＢ肯定応答６５６を１ｘネットワーク５６０に返信し、保留通信を受信するためにＥＶ−ＤＯネットワーク５７０に同調する６５８。アナウンス肯定応答６６４は、１ｘネットワーク５６０を介してＧＣＳ  ５３２へと中継して返される。その後、ＧＳＣ  ５３２は、ＡＴ  ３０６にフロア（floor）６６５を許可する（たとえば、ＡＴ  ３０６が半二重接続で伝送できるようにする）ことができる。次に、このステータス６６８は、ＥＶ−ＤＯネットワーク５７０に中継され、その後、ＡＴ  ３０６からの通信用にトラフィックチャネル６７０を開き、ステータス／トラフィックチャネル情報をＡＴ  ３０６に転送し、その後ＡＴ  ３０６は、ＡＴ  ３０４への通信をＥＶ−ＤＯネットワーク５７０上で開始することが可能な、トーンあるいは他の可聴および／または可視インジケータを鳴らすことができる。
【００４９】
前述の開示に鑑みて、当業者であれば、本発明の諸実施形態が、前述の一連のアクション、動作、および／または機能を実行する方法を含むことを理解されよう。図７を参照すると、本発明の諸実施形態に従った少なくとも１つの方法を示す流れ図が示されている。たとえばこの方法は、第２のネットワーク上での保留通信についてターゲットデバイスに通知するページを、第１のネットワーク上で送信すること７１０を備えることができる。さらにこのページは、追加情報が第１のネットワーク上で送信されることをターゲットデバイスに通知する。その後、追加情報（たとえばＳＤＢ）を、第１のネットワーク上で送信すること７２０ができる。追加情報は、第２のネットワーク上での保留通信に関するセットアップ情報および／または一般情報を含むことができる。さらに図７に示されるように、ターゲットデバイスはページを受信し７１５、その後、このページを第１のネットワークに肯定応答する７１７ことができる。肯定応答はターゲットデバイスの位置を確認することができるため、肯定応答７１７の受信を使用して追加情報の送信７２０をトリガすることができる。その後、コストの高いＳＤＢ（システムローディングに関して）を、ターゲットデバイスを有する特定のセクタのみに送信することができる。
【００５０】
加えてこの方法は、ターゲットで追加情報を受信すること、および追加情報に肯定応答すること７３５を、さらに含むことができる。その後ターゲットデバイスは、保留通信を受信するために、追加情報を使用して第２のネットワークにアクセスすること７４５ができる。無線インフラストラクチャは、第１のネットワーク上で追加情報の肯定応答を受信すること７４０、および、第２のネットワーク上でターゲットとの通信を開始すること７５０が可能である。通信は、ストリーミングメディアサーバなどの無線インフラストラクチャ内にあるか、または無線インフラストラクチャに動作可能に結合された、要素間で行うことができる。当業者であれば、本発明の諸実施形態は、例示された構成およびソースに限定されるものでないことを理解されよう。現在の無線および有線のネットワークはインターネットおよび／または他のネットワークを介して通信可能であるため、本発明の諸実施形態は、本明細書で説明された機能を実行することができる任意のデバイスを含むことができる。
【００５１】
たとえば、グループ通信サーバは、第２のネットワーク上にトラフィックチャネルを開くことによって、オリジネータとターゲットとの間に半二重通信を開くために使用することができる。したがって、アクセス端末と、インターネット、無線ネットワーク、専用ネットワークなどに結合された他のデバイスとの間で、通信をサポートすることができる。たとえば半二重ＶＯＩＰ接続を、無線対無線および／または無線対有線の構成で、アクセス端末間でサポートすることができる。一般に、通信に好適ないかなる帯域幅もサポートすることができる。たとえばＥＶ−ＤＯで使用可能な高帯域幅を使用して、ストリーミングビデオおよび／またはオーディオなどをサポートすることができる。
【００５２】
さらに、本明細書で論じるように、ハイブリッドソリューションは複数のネットワークを使用して、それぞれの利点を活用することができる。たとえば、第１のネットワーク（たとえば１ｘ）は、第２のネットワーク（たとえばＥＶ−ＤＯ）よりも高速のページング間隔を有する可能性がある。また、第２のネットワーク（たとえばＥＶ−ＤＯ）は、第１のネットワークよりも高い帯域幅を有する可能性がある。しかしながら、本発明の諸実施形態は、これらのネットワークおよび／または構成に限定されるものではない。
【００５３】
当業者であれば理解されるように、本明細書で論じられるハイブリッド通信システムでは、ターゲットと通信する無線インフラストラクチャによってページを送信することができる。さらにこのページは、オリジネータからの接続要求に応答して生成することができる。オリジネータは、他のアクセス端末に限定されず、たとえば、リモートサーバ、グループ通信サーバ、アプリケーションサーバ、およびメディアサーバを含むことができる。しかしながらＰＴＴ環境においては、オリジネータは通常、グループ通信サーバに動作可能に結合された、アクセス端末、無線クライアントデバイス（wireless client device）、有線デバイス、携帯情報端末（ＰＤＡ）、移動体端末などである。
【００５４】
たとえば前述のように、プッシュ−ツー−トーク（ＰＴＴ）信号は、グループ通信サーバに接続要求を送るオリジネータ側で（たとえばＰＴＴボタンによって）生成することができる。グループ通信サーバは、ページを送信するために第１のネットワークと通信することができる。加えて、接続要求は第２のネットワーク上で送信することが可能である一方で、ページは第１のネットワーク上で送信することが可能である。
【００５５】
当業者であれば、情報および信号が、多種多様な異なる技術および技法のいずれかを使用して表される可能性があることを理解されよう。たとえば、上記の説明全体を通じて参照可能なデータ、命令、コマンド、情報、信号、ビット、シンボル、およびチップは、電圧、電流、電磁波、磁場または磁性粒子、光場または光学粒子、あるいはそれらの任意の組み合わせによって、表される可能性がある。
【００５６】
さらに、当業者であれば、本明細書で開示された諸実施形態に関連して説明された、様々な例示的論理ブロック、モジュール、回路、およびアルゴリズムステップが、電子ハードウェア、コンピュータソフトウェア、またはそれらの組み合わせとして実施可能であることを理解されよう。このハードウェアおよびソフトウェアの互換性をわかりやすく例示するために、上記では、様々な例示的構成要素、ブロック、モジュール、回路、およびステップについて全体としてそれらの機能に関して説明してきた。こうした機能がハードウェアまたはソフトウェアのいずれとして実施されるかは、システム全体に課せられた特定のアプリケーションおよび設計の制約に依存する。当業者であれば、前述の機能を各特定のアプリケーションごとに様々な仕方で実施することができるが、こうした実施の決定は、本発明の範囲から逸脱させるものとして解釈されるべきではない。
【００５７】
本明細書で開示された諸実施形態に関連して説明された、様々な例示的論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別のゲートまたはトランジスタ論理、個別のハードウェア構成要素、あるいは、本明細書で説明された機能を実行するように設計されたそれらの任意の組み合わせを使用して、実施または実行することができる。汎用プロセッサはマイクロプロセッサとすることができるが、別の方法では、プロセッサは、任意の従来のプロセッサ、コントローラ、マイクロコントローラ、または状態マシンとすることができる。プロセッサは、たとえばＤＳＰおよびマイクロプロセッサの組み合わせ、複数のマイクロプロセッサ、ＤＳＰコアと連動した１つまたは複数のマイクロプロセッサ、あるいは任意の他のこうした構成などの、コンピューティングデバイスの組み合わせとして実施することもできる。
【００５８】
本明細書で開示された諸実施形態に関連して説明された方法、シーケンス、および／またはアルゴリズムは、ハードウェアにおいて、プロセッサによって実行されるソフトウェアモジュールにおいて、またはこの２つの組み合わせにおいて、直接実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または、当技術分野で知られた任意の他の形の記憶媒体に、常駐することができる。例示的記憶媒体は、プロセッサが記憶媒体から情報を読み取ることおよび記憶媒体に情報を書き込むことができるように、プロセッサに結合される。別の方法では、記憶媒体をプロセッサに統合することができる。プロセッサおよび記憶媒体はＡＳＩＣに常駐することができる。ＡＳＩＣはユーザ端末（たとえばアクセス端末）に常駐することができる。別の方法では、プロセッサおよび記憶媒体は個別の構成要素としてユーザ端末に常駐することができる。
【００５９】
したがって本発明の一実施形態は、本明細書で開示された方法、アルゴリズム、ステップ、および／または機能に従った、無線通信システム内でのハイブリッド呼び出しセットアップのための方法を実施する、コンピュータ読み取り可能媒体を含むことができる。たとえば、コンピュータ読み取り可能媒体内で実施される方法は、第１のネットワーク上でページを送信することであって、このページは追加情報が第１のネットワーク上で送信されることになることをターゲットに通知する、送信すること、および、第１のネットワーク上で追加情報を送信することであって、この追加情報は第２のネットワーク上での保留通信に関するセットアップ情報を含む、送信することを、含むことができる。本明細書で使用される場合、追加情報をターゲットに通知するページは、特定の情報がページに含まれることを必要としない。たとえば、ターゲットデバイスが追加情報を受け取るようになることを確立するために、特別サービスオプションを識別し、ターゲットデバイス上の論理と組み合わせて使用することができる。したがって、本発明は示された例に限定されるものではなく、本明細書で説明された機能を実行するための任意の手段が、本発明の諸実施形態に含まれる。
【００６０】
前述の開示は本発明の例示的実施形態を示すが、添付の特許請求の範囲によって定義された本発明の範囲を逸脱することなく、本明細書における様々な変更および修正が実行可能であることに留意されたい。本明細書で説明された本発明の諸実施形態に従った方法請求項の機能、ステップ、および／またはアクションは、いかなる特定の順序で実行される必要もない。さらに、本発明の諸要素は単数で説明または請求されていることもあるが、単数への限定が明示的に記述されていない限り、複数も企図される。
【図面の簡単な説明】
【００６１】
【図１】本発明の少なくとも１つの実施形態に従った、アクセス端末およびアクセスネットワークをサポートする無線ネットワークアーキテクチャを示す図。
【図２】本発明の少なくとも１つの実施形態に従ったアクセス端末を示す図。
【図３】本発明の少なくとも１つの実施形態に従った通信流れを示す図。
【図４】本発明の少なくとも１つの実施形態に従ったグループ通信ネットワークアーキテクチャを示す図。
【図５】本発明の少なくとも１つの実施形態に従った、２つのネットワーク接続を示すグループ通信ネットワークアーキテクチャを示す図。
【図６】本発明の少なくとも１つの実施形態に従った通信流れを示す図。
【図７】本発明の少なくとも１つの実施形態に従った方法を示す流れ図。
【図１】
2009528005.tif 000003
【図２】
2009528005.tif 000004
【図３】
2009528005.tif 000005
【図４】
2009528005.tif 000006
【図５】
2009528005.tif 000007
【図６】
2009528005.tif 000008
【図７】
2009528005.tif 000009
【国際調査報告】
2009528005.tif 000010
2009528005.tif 000011
2009528005.tif 000012